(57)【要約】【課題】ＧＳＭの規格である３ＧＰＰ規格を満たしつつ、低ノイズ増幅器の回路規模の増大・消費電力の増加を防ぐことが可能なＧＳＭ無線端末装置を提供する。【解決手段】受信信号の通信モードおよび信号レベルに対応して、低雑音指数で増幅する低ノイズ増幅器１の利得を切り替える切替閾値をあらかじめ設定登録した受信信号利得設定テーブルを不揮発性メモリ（ＮＶＭ）のメモリ１３に備え、受信信号がＧＰＲＳ（General  Packet  Radio  Service）通信モードの信号であった場合、該通信モードに対応する前記受信信号利得設定テーブルの設定登録内容を参照して、当該受信信号利得設定テーブルに設定登録された前記切替閾値と前記受信信号の信号レベルであるＲＳＳＩ（Received  Signal  Strength  Indicator）の値との比較結果に基づいて、低ノイズ増幅器１の利得を切り替える。【選択図】        図１
2012095222.tif 000002
【特許請求の範囲】
【請求項１】
利得を可変に設定することができ、低雑音指数で増幅する低ノイズ増幅器を受信部に備えたＧＳＭ無線端末装置において、受信信号の通信モードおよび信号レベルに対応して前記低ノイズ増幅器の利得を切り替える切替閾値をあらかじめ設定登録した受信信号利得設定テーブルを備え、受信信号がＧＰＲＳ（General  Packet  Radio  Service）通信モードの信号であった場合、該通信モードに対応する前記受信信号利得設定テーブルの設定登録内容を参照して、当該受信信号利得設定テーブルに設定登録された前記切替閾値と前記受信信号の信号レベルであるＲＳＳＩ（Received  Signal  Strength  Indicator）の値との比較結果に基づいて、前記低ノイズ増幅器の利得を制御することを特徴とするＧＳＭ無線端末装置。
【請求項２】
前記受信信号利得設定テーブルに設定登録した前記切替閾値は、前記低ノイズ増幅器を高利得の状態に設定するための第１の切替閾値と前記低ノイズ増幅器を高利得の状態に設定するための第２の切替閾値との異なる２つの閾値を有し、前記受信信号の信号レベルであるＲＳＳＩの値が、前記第１の切替閾値よりも小さい場合に、前記低ノイズ増幅器を高利得の状態に設定し、前記受信信号の信号レベルであるＲＳＳＩの値が、前記第２の切替閾値よりも大きい場合に、前記低ノイズ増幅器を低利得の状態に設定することを特徴とする請求項１に記載のＧＳＭ無線端末装置。
【請求項３】
前記第１の切替閾値および前記第２の切替閾値を、３ＧＰＰ（The  Third  Generation  Partnership  Project）  ＴＳ．５１．０１０  １４．１６．１．２規格として規定されている受信感度規格の電力閾値よりも小さい任意の値に設定することを特徴とする請求項２に記載のＧＳＭ無線端末装置。
【請求項４】
前記受信信号利得設定テーブルは、前記切替閾値以外に、前記受信部を構成する各増幅器の利得を制御する利得値を含めて設定登録した状態で、受信信号の通信モードごとに対応付けて複数設けられており、受信した受信信号の通信モードに応じて、該当する前記受信信号利得設定テーブルに切り替えて使用することを特徴とする請求項１ないし３のいずれかに記載のＧＳＭ無線端末装置。
【請求項５】
利得を可変に設定することができ、低雑音指数で増幅する低ノイズ増幅器を受信部に備えたＧＳＭ無線端末装置において前記低ノイズ増幅器の状態を切り替えるＧＳＭ無線端末状態切り替え制御方法であって、受信信号の通信モードおよび信号レベルに対応して前記低ノイズ増幅器の利得を切り替える切替閾値をあらかじめ設定登録した受信信号利得設定テーブルを備え、受信信号がＧＰＲＳ（General  Packet  Radio  Service）通信モードの信号であった場合、該通信モードに対応する前記受信信号利得設定テーブルの設定登録内容を参照して、当該受信信号利得設定テーブルに設定登録された前記切替閾値と前記受信信号の信号レベルであるＲＳＳＩ（Received  Signal  Strength  Indicator）の値との比較結果に基づいて、前記低ノイズ増幅器の利得を制御することを特徴とするＧＳＭ無線端末状態切り替え制御方法。
【請求項６】
前記受信信号利得設定テーブルに設定登録した前記切替閾値は、前記低ノイズ増幅器を高利得の状態に設定するための第１の切替閾値と前記低ノイズ増幅器を高利得の状態に設定するための第２の切替閾値との異なる２つの閾値を有し、前記受信信号の信号レベルであるＲＳＳＩの値が、前記第１の切替閾値よりも小さい場合に、前記低ノイズ増幅器を高利得の状態に設定し、前記受信信号の信号レベルであるＲＳＳＩの値が、前記第２の切替閾値よりも大きい場合に、前記低ノイズ増幅器を低利得の状態に設定することを特徴とする請求項５に記載のＧＳＭ無線端末状態切り替え制御方法。
【請求項７】
前記第１の切替閾値および前記第２の切替閾値を、３ＧＰＰ（The  Third  Generation  Partnership  Project）  ＴＳ．５１．０１０  １４．１６．１．２規格として規定されている受信感度規格の電力閾値よりも小さい任意の値に設定することを特徴とする請求項６に記載のＧＳＭ無線端末状態切り替え制御方法。
【請求項８】
前記受信信号利得設定テーブルは、前記切替閾値以外に、前記ＧＳＭ無線端末装置の受信部を構成する各増幅器の利得を制御する利得値を含めて設定登録した状態で、受信信号の通信モードごとに対応付けて複数設けられており、受信した受信信号の通信モードに応じて、該当する前記受信信号利得設定テーブルに切り替えて使用することを特徴とする請求項５ないし７のいずれかに記載のＧＳＭ無線端末状態切り替え制御方法。
【請求項９】
請求項５ないし８のいずれかに記載のＧＳＭ無線端末状態切り替え制御方法を、コンピュータによって実行可能なプログラムとして実施していることを特徴とするＧＳＭ無線端末状態切り替え制御プログラム。
【発明の詳細な説明】
【技術分野】
【０００１】
本発明は、ＧＳＭ無線端末装置、ＧＳＭ無線端末状態切り替え制御方法およびＧＳＭ無線端末状態切り替え制御プログラムに関し、特に、通信モードに応じて、ＧＳＭ無線端末装置の受信部の低ノイズ増幅器（ＬＮＡ：Low  Noise  Amplifier）の状態（Ｓｔａｔｅ）を切り替えるＧＳＭ無線端末装置、ＧＳＭ無線端末状態切り替え制御方法およびＧＳＭ無線端末状態切り替え制御プログラムに関する。
【背景技術】
【０００２】
現在、携帯端末装置の分野においては、例えば、ＧＳＭ（Global  System  for  Mobile  Communications）とＷＣＤＭＡ（Wideband  Code  Division  Multiple  Access）とのデュアルモード（Dual  Mode）等、複数の通信モードをサポートするマルチモード化が進んでおり、今後も、この傾向は続くものと想定される。
【０００３】
携帯端末装置のような限られたスペースで複数の通信モードを実現するためには、それぞれの通信モード用の回路の小面積化が必須であり、また、携帯端末装置の機能面についても、通信モードのサポート機能以外に、地上波デジタル放送テレビジョン受信機能、ＧＰＳ（Global  Positioning  System）機能、無線ＬＡＮ（Local  Area  Network）機能、Ｂｌｕｅｔｏｏｔｈ通信機能、音楽再生機能等の様々なアプリケーションの搭載が進んでいるため、低消費電力化との両立が求められている。
【０００４】
このような状況の中、ＧＳＭ無線端末装置の受信部に用いられている低ノイズ増幅器（ＬＮＡ：Low  Noise  Amplifier）は、アンテナから入力された微弱な信号を低いＮＦ（Noise  Figure：雑音指数）で増幅させる機能を有している。該低ノイズ増幅器は、一般的に、複数の状態（Ｓｔａｔｅ）を備えており、受信信号の信号レベルによって、次のように、適宜、状態（Ｓｔａｔｅ）の切り替えを行っている。
【０００５】
例えば、受信信号レベルが非常に微弱な場合には、低いＮＦで信号を増幅できるようにＨｉｇｈ  Ｇａｉｎの状態（Ｓｔａｔｅ）に切り替え、受信信号レベルが十分に大きい場合には、歪特性に優れているＬｏｗ  Ｇａｉｎの状態（Ｓｔａｔｅ）に切り替えるようにしている。
【０００６】
一方、ＧＳＭ通信システムにおいては、３ＧＰＰ（The  Third  Generation  Partnership  Project）規格におけるＧＰＲＳ  ＢＬＥＲ（General  Packet  Radio  Service−Block  Error  Rate）の受信感度規格の信号レベルとＧＳＭ  Ｂｌｏｃｋｉｎｇ規格の信号レベルとが非常に近く、双方の規格の信号レベル間では、ＧＳＭ無線端末装置の受信部に用いられる低ノイズ増幅器の状態（Ｓｔａｔｅ）を切り替えることが難しい。このため、かくのごとき規格を満たすために、特許文献１の特開平１１−２７４９６８号公報「無線送受信機とその受信高周波ユニットおよび制御ユニット」や特許文献２の特開２００５−１５１０１１号公報「高周波信号受信装置および半導体集積回路」に記載されているように、低ノイズ増幅器（ＬＮＡ）に冗長な回路を追加したり、消費電流を増加させたりする必要があった。
【先行技術文献】
【特許文献】
【０００７】
【特許文献１】特開平１１−２７４９６８号公報（第５−７頁）
【特許文献２】特開２００５−１５１０１１号公報（第６−９頁）
【発明の概要】
【発明が解決しようとする課題】
【０００８】
ＧＳＭ無線端末装置の受信部に用いられている低ノイズ増幅器（ＬＮＡ：Ｌｏｗ  Ｎｏｉｓｅ  Ａｍｐ）は、前述のように、一般的に、複数の状態（Ｓｔａｔｅ）を有しており、受信信号レベルによって、適宜、状態（Ｓｔａｔｅ）の切り替えを行っている。
【０００９】
例えば、受信信号レベルが非常に微弱な場合には、低いＮＦ（Noise  Figure：雑音指数）で信号を増幅することが可能な高利得（Ｈｉｇｈ  Ｇａｉｎ）の状態（Ｓｔａｔｅ）に切り替えて動作させ、一方、受信信号レベルが十分に大きい場合には、歪特性に優れている低利得（Ｌｏｗ  Ｇａｉｎ）の状態（Ｓｔａｔｅ）に切り替えて動作させる。
【００１０】
一般的に、低ノイズ増幅器の状態が、利得（Ｇａｉｎ）が高いＬＮＡ  Ｈｉｇｈ状態の場合においては、ＮＦは低く、微弱な信号を低雑音で増幅することには優れているが、妨害波による歪特性は弱い傾向にある、一方、低ノイズ増幅器の状態が、利得（Ｇａｉｎ）が低いＬＮＡ  Ｌｏｗ状態の場合においては、ＮＦはＬＮＡ  Ｈｉｇｈ状態よりも良くはないものの、妨害波による歪特性は高い傾向にある。よって、微弱な信号レベルを受信する感度規格としては、低ノイズ増幅器（ＬＮＡ）をＨｉｇｈ  Ｇａｉｎの状態（Ｓｔａｔｅ）に設定し、妨害波による歪規格としては、低ノイズ増幅器（ＬＮＡ）をＬｏｗ  Ｇａｉｎの状態（Ｓｔａｔｅ）に設定することが望ましい。
【００１１】
しかしながら、ＧＳＭの規格である３ＧＰＰ規格においては、
（１）ＧＰＲＳ（General  Packet  Radio  Service）  ＢＬＥＲ（Block  Error  Rate）  ＣＳ４（Channel  Coding  Scheme  ４）時の最も厳しい感度規格としては、受信信号レベルは−９９ｄＢｍと規定され（３ＧＰＰ  ＴＳ．５１．０１０  １４．１６．１．２参照）、
（２）ＧＳＭ時の歪規格（Ｂｌｏｃｋｉｎｇ規格）としては、受信信号レベルが−９８ｄＢｍと規定されており（３ＧＰＰ  ＴＳ．５１．０１０  １４．７．２．４参照）、
（１）、（２）の２つの規格間の受信信号レベルの差分は、僅か１ｄＢと非常に近い規定となっている。
【００１２】
かくのごとく、３ＧＰＰで規定されている規格においては、受信感度と歪との受信信号レベルが非常に近いため、（２）の歪規格を満たすために、低ノイズ増幅器（ＬＮＡ）をＬｏｗ  Ｇａｉｎの状態（Ｓｔａｔｅ）に設定し、一方、（１）の感度規格を満たすために、低ノイズ増幅器（ＬＮＡ）をＨｉｇｈ  Ｇａｉｎの状態（Ｓｔａｔｅ）に設定するように、低ノイズ増幅器（ＬＮＡ）の状態（Ｓｔａｔｅ）の切り替えを確実に行うことは非常に困難である。さらには、（１）、（２）の２つの規格間で、低ノイズ増幅器（ＬＮＡ）の状態（Ｓｔａｔｅ）の切り替えを実施した場合、切り替え時のヒステリシスを十分に確保することができないため、信号レベルの僅かな変動によって、頻繁に、低ノイズ増幅器（ＬＮＡ）の状態（Ｓｔａｔｅ）がＬ／Ｈ（Ｌｏｗ  Ｇａｉｎ／Ｈｉｇｈ  Ｇａｉｎ）の状態間で切り替わるような現象が発生してしまうことが予想される。
【００１３】
このため、従来技術においては、低ノイズ増幅器（ＬＮＡ）の切り替えが発生しないように、状態（Ｓｔａｔｅ）をいずれかの状態に固定して、（１）、（２）の両方の規格を満足させるような工夫を凝らした低ノイズ増幅器（ＬＮＡ）を実現して解決を図ろうとしていた。
【００１４】
しかし、（１）、（２）の両規格を、低ノイズ増幅器（ＬＮＡ）をＬｏｗ  Ｇａｉｎの状態（Ｓｔａｔｅ）に固定して満たすためには、低いＮＦを実現することが必要があり、一方、（１）、（２）の両規格を、低ノイズ増幅器（ＬＮＡ）をＨｉｇｈ  Ｇａｉｎの状態（Ｓｔａｔｅ）に固定して満たすためには、高い歪特性を実現することが必要である。この結果、いずれの状態（Ｓｔａｔｅ）に固定した場合であっても、低ノイズ増幅器（ＬＮＡ）の一般的な特性とは反対の特性を求めていることになるので、特性を満たすためには、電流を増加させたり、あるいは、回路規模が増大してしまったりすることになり、消費電力や回路規模の面から好ましくないという問題があった。
【００１５】
（本発明の目的）
本発明は、かかる事情に鑑みてなされたものであり、ＧＳＭの規格である３ＧＰＰ規格を満たしつつ、低ノイズ増幅器（ＬＮＡ）の回路規模の増大・消費電力の増加を防ぐことが可能なＧＳＭ無線端末装置、ＧＳＭ無線端末状態切り替え制御方法およびＧＳＭ無線端末状態切り替え制御プログラムを提供することを、その目的としている。
【課題を解決するための手段】
【００１６】
前述の課題を解決するため、本発明によるＧＳＭ無線端末装置、ＧＳＭ無線端末状態切り替え制御方法およびＧＳＭ無線端末状態切り替え制御プログラムは、主に、次のような特徴的な構成を採用している。
【００１７】
（１）本発明によるＧＳＭ無線端末装置は、利得を可変に設定することができ、低雑音指数で増幅する低ノイズ増幅器を受信部に備えたＧＳＭ無線端末装置において、受信信号の通信モードおよび信号レベルに対応して前記低ノイズ増幅器の利得を切り替える切替閾値をあらかじめ設定登録した受信信号利得設定テーブルを備え、受信信号がＧＰＲＳ（General  Packet  Radio  Service）通信モードの信号であった場合、該通信モードに対応する前記受信信号利得設定テーブルの設定登録内容を参照して、当該受信信号利得設定テーブルに設定登録された前記切替閾値と前記受信信号の信号レベルであるＲＳＳＩ（Received  Signal  Strength  Indicator）の値との比較結果に基づいて、前記低ノイズ増幅器の利得を制御することを特徴とする。
【００１８】
（２）本発明によるＧＳＭ無線端末状態切り替え制御方法は、利得を可変に設定することができ、低雑音指数で増幅する低ノイズ増幅器を受信部に備えたＧＳＭ無線端末装置において前記低ノイズ増幅器の状態を切り替えるＧＳＭ無線端末状態切り替え制御方法であって、受信信号の通信モードおよび信号レベルに対応して前記低ノイズ増幅器の利得を切り替える切替閾値をあらかじめ設定登録した受信信号利得設定テーブルを備え、受信信号がＧＰＲＳ（General  Packet  Radio  Service）通信モードの信号であった場合、該通信モードに対応する前記受信信号利得設定テーブルの設定登録内容を参照して、当該受信信号利得設定テーブルに設定登録された前記切替閾値と前記受信信号の信号レベルであるＲＳＳＩ（Received  Signal  Strength  Indicator）の値との比較結果に基づいて、前記低ノイズ増幅器の利得を制御することを特徴とする。
【００１９】
（３）本発明によるＧＳＭ無線端末状態切り替え制御プログラムは、少なくとも前記（２）に記載のＧＳＭ無線端末状態切り替え制御方法を、コンピュータによって実行可能なプログラムとして実施していることを特徴とする。
【発明の効果】
【００２０】
本発明のＧＳＭ無線端末装置、ＧＳＭ無線端末状態切り替え制御方法およびＧＳＭ無線端末状態切り替え制御プログラムによれば、以下のような効果を奏することができる。
【００２１】
ＧＳＭ無線端末装置の受信部を構成する低ノイズ増幅器（ＬＮＡ：Low  Noise  Amplifier）の状態（Ｓｔａｔｅ）を、受信信号の通信モードおよび信号レベルに応じて切り替えることを可能にしているので、効率的に低ノイズ増幅器の切り替えを行うことができ、低ノイズ増幅器の回路規模の増大および消費電力の増加を防ぐことができる。
【図面の簡単な説明】
【００２２】
【図１】本発明によるＧＳＭ無線端末装置の受信部のブロック構成の一例を示すブロック構成図である。
【図２】本発明によるＧＳＭ無線端末装置の受信部の動作の一例を説明するためのフローチャートである。
【図３】本発明によるＧＳＭ無線端末装置の受信部の動作の他の例を説明するためのフローチャートである。
【発明を実施するための形態】
【００２３】
以下、本発明によるＧＳＭ無線端末装置、ＧＳＭ無線端末状態切り替え制御方法およびＧＳＭ無線端末状態切り替え制御プログラムの好適な実施形態について添付図を参照して説明する。なお、以下の説明においては、本発明によるＧＳＭ無線端末装置およびＧＳＭ無線端末状態切り替え制御方法について説明するが、かかるＧＳＭ無線端末状態切り替え制御方法をコンピュータにより実行可能なＧＳＭ無線端末状態切り替え制御プログラムとして実施するようにしても良いし、あるいは、ＧＳＭ無線端末状態切り替え制御プログラムをコンピュータにより読み取り可能な記録媒体に記録するようにしても良いことは言うまでもない。
【００２４】
（本発明の特徴）
本発明の実施形態の説明に先立って、本発明の特徴についてその概要をまず説明する。本発明は、ＧＳＭ無線端末装置の受信部を構成する低ノイズ増幅器（ＬＮＡ：Low  Noise  Amplifier）の状態（Ｓｔａｔｅ）を、受信信号の通信モードおよび信号レベルに応じて切り替えることにより、効率的に低ノイズ増幅器の切り替えを行い、低ノイズ増幅器（ＬＮＡ）の回路規模の増大・消費電力の増加を防ぐことを主要な特徴としている。
【００２５】
より具体的には、本発明においては、受信した受信信号の通信モードと切替閾値レベルとにより、低ノイズ増幅器のＬｏｗ/Ｈｉｇｈ（Ｌｏｗ  Ｇａｉｎ／Ｈｉｇｈ  Ｇａｉｎ：低利得／高利得）の状態（Ｓｔａｔｅ）を切り替える機能を備えることによって、通信モードがＧＰＲＳ（General  Packet  Radio  Service）通信時であって、かつ、低電界時（つまり受信信号レベルが低いとき）においては、低ノイズ増幅器をＨｉｇｈ  Ｇａｉｎ（高利得）の状態（Ｓｔａｔｅ）に設定して、ＧＰＲＳ感度を高く保ち、一方、通信モードとしてＧＳＭ通信におけるＢｌｏｃｋｉｎｇ特性時においては、低ノイズ増幅器をＬｏｗ  Ｇａｉｎ（低利得）の状態（Ｓｔａｔｅ）に設定して、歪特性を高く保たせるように、低ノイズ増幅器の利得（Ｇａｉｎ）を切り替えることによって、低ノイズ増幅器における余分な電流増加や回路規模の増大を防ぐことを可能としている。
【００２６】
（実施形態の構成例）
次に、本発明によるＧＳＭ無線端末装置の受信部に関するブロック構成の一例について図１を用いて説明する。図１は、本発明によるＧＳＭ無線端末装置の受信部のブロック構成の一例を示すブロック構成図であり、従来技術におけるブロック構成と基本的には同一の構成からなっている。
【００２７】
図１に示すように、ＧＳＭ無線端末装置の受信部は、'ＲＦＩＣ'と記した無線周波数集積回路１０Ａ、'ＤＢＢ'と記したデジタルベースバンド処理部１１、'ＣＰＵ'と記した中央処理装置１２、'ＮＶＭ'と記したメモリ１３を少なくとも含んで構成されている。
【００２８】
無線周波数集積回路１０Ａは、高周波の無線信号を処理する集積回路（ＲＦＩＣ：Radio  Frequency  Integrated  Circuit）であり、図１には、その受信ブロック（Rx  Block）部分を抽出して示している。また、デジタルベースバンド処理部１１は、無線周波数集積回路１０Ａから出力されてくるデジタルベースバンド信号を処理するデジタルベースバンド処理装置（ＤＢＢ：Digital  Baseband Processing  Device）である。また、中央処理装置１２は、受信部をはじめＧＳＭ無線端末装置の全体の動作を制御する処理装置（ＣＰＵ：Central  Processing  Unit）であり、メモリ１３は、ＧＳＭ無線端末状態切り替え制御プログラム等のプログラムや制御情報等の各種の情報を記憶する不揮発性メモリ（ＮＶＭ：Non  Volatile  Memory）である。
【００２９】
無線周波数集積回路１０Ａの受信ブロック（Rx  Block）部は、'ＬＮＡ'と記した低ノイズ増幅器１、'Ｒｅｇｉｓｔｅｒ'と記したレジスタ２、'Ｍｉｘｅｒ'と記した第１、第２のミキサ３ａ，３ｂ、'Ａｍｐ'と記した第１、第２の前置増幅器４ａ，４ｂ、'ＢＢＦｉｌｔｅｒ'と記した第１、第２のベースバンドフィルタ５ａ，５ｂ、'Ａｍｐ'と記した第１、第２の後置増幅器６ａ,６ｂ、'０°／９０°'と記した位相分配器６、'ＶＣＯ'と記した電圧制御発振器７、'Ｒｘ  ＡＤＣ'と記したＡＤ変換器８、'Ｄｉｇｉｔａｌ  Ｆｉｌｔｅｒ'と記したデジタルフィルタ９、'ＤｉｇＲＦ  Ｉ／Ｆ'と記したデジタル信号インタフェース回路１０を少なくとも含んで構成される。
【００３０】
受信ブロック（Rx  Block）部を構成する低ノイズ増幅器１は、３ＧＰＰ規格で規定されている無線信号形式の受信信号（ＧＳＭ、ＧＰＲＳ等の通信モードの信号）を低ＮＦ（Noise  Figure：雑音指数）で増幅する低ノイズ増幅器（ＬＮＡ：Low  Noise  Amplifier）であり、レジスタ２は、低ノイズ増幅器１に対するＨ／Ｌ切り替え制御信号を出力するための切替閾値や前置増幅器４ａ，４ｂ、後置増幅器６ａ,６ｂに対する利得制御信号を出力するための受信利得値等の制御情報をバッファリングするレジスタ（Ｒｅｇｉｓｔｅｒ）である。
【００３１】
また、第１、第２のミキサ３ａ，３ｂは、無線周波数信号（ＲＦ：Radio  Frequency  Signal）をベースバンド信号（ＢＢ：BaseBand  Signal）のＩＱ信号に変換するミキサ（Ｍｉｘｅｒ）であり、第１、第２の前置増幅器４ａ，４ｂは、変換したベースバンド信号を所望の信号電力に増幅する増幅器（Ａｍｐ）である。また、第１、第２のベースバンドフィルタ５ａ，５ｂは、第１、第２の前置増幅器４ａ，４ｂにて増幅したベースバンド信号に含まれている不要な信号成分を減衰させるベースバンドフィルタ（ＢＢ  Ｆｉｌｔｅｒ）であり、第１、第２の後置増幅器６ａ,６ｂは、不要信号成分を除去した後のベースバンド信号を所望の信号電力に増幅または減衰する増幅器（Ａｍｐ）である。
【００３２】
また、電圧制御発振器７は、ローカル信号を生成する電圧制御発振器（ＶＣＯ：Voltage  Controlled  Oscillator）であり、位相分配器６は、ローカル信号の位相を９０°ずらして第１、第２のミキサ３ａ，３ｂに分配出力する位相分配器（Phase  Shifter）である。
【００３３】
また、ＡＤ変換器８は、第１、第２の後置増幅器６ａ,６ｂにて増幅したアナログベースバンド信号をデジタル信号に変換する復号器（Ｒｘ  ＡＤＣ：Analog  Digital  Converter）であり、デジタルフィルタ９は、変換後のデジタル信号に含まれている不要信号を除去するデジタルフィルタ（Digital  Filter）であり、デジタル信号インタフェース回路１０は、デジタルフィルタ９から出力されるデジタル信号を、後段のデジタルベースバンド処理部１１に出力し、逆に、後段のデジタルベースバンド処理部１１を介して、中央処理装置１２から出力されてくる制御信号を、レジスタ２に出力するものであり、無線周波数集積回路１０Ａとデジタルベースバンド処理部１１との間のデジタル信号インタフェース（ＤｉｇＲＦ  Ｉ／Ｆ）を司る部位である。
【００３４】
（実施形態の動作の説明）
次に、図１のＧＳＭ無線端末装置の受信部の動作の一例について説明する。ＧＳＭ受信信号（ＧＰＲＳ  ＣＳ４）が無線周波数集積回路１０Ａに入力されると、低ノイズ増幅器１によって、低ＮＦで増幅された後、第１、第２のミキサ３ａ，３ｂに出力される。第１、第２のミキサ３ａ，３ｂにおいては、位相分配器６からの位相が互いに９０°ずれたローカル信号とミキシングされることによって、無線周波数信号（ＲＦ：Radio  Frequency  Signal）からベースバンド信号（ＢＢ：BaseBand  Signal）のＩＱ信号（Ｉ信号、Ｑ信号）に変換される。
【００３５】
第１、第２のミキサ３ａ，３ｂから出力されるＩＱ信号は、第１、第２の前置増幅器４ａ，４ｂにて所望の信号電力に増幅された後、第１、第２のベースバンドフィルタ５ａ，５ｂによって、不要な信号成分が除去される。しかる後、不要信号成分が除去されたＩＱ信号は後置増幅器６ａ，６ｂにおいて所望の信号電力に増幅または減衰されて、ＡＤ変換器８に対して出力される。
【００３６】
ＡＤ変換器８においては、入力されてくるＩＱ信号すなわちアナログ信号形式のベースバンド信号がデジタル信号形式のデジタルＩＱ信号に変換され、さらに、デジタルフィルタ９において、変換後のデジタルＩＱ信号に含まれている不要信号が除去されて、デジタル信号インタフェース回路１０を介して、後段のデジタルベースバンド処理部１１に出力される。デジタルベースバンド処理部１１においては、受け取ったデジタルＩＱ信号に対して中央処理装置１２からの制御に応じたデジタル処理を行うことによって、受信した受信信号を処理する。
【００３７】
ここで、不揮発性メモリ（ＮＶＭ：Non  Volatile  Memory）のメモリ１３には、受信した受信信号の通信モード（ＧＰＲＳ通信モードやＧＳＭ通信モード等）および信号レベルであるＲＳＳＩ（Received  Signal  Strength  Indicator）に対応する情報が、受信信号利得設定テーブル（RxGain  Table）としてあらかじめ設定登録されている。中央処理装置１２は、受信信号の通信モードと受信信号の信号レベルとの判定結果に基づいて、対応する受信信号利得設定テーブル（RxGain  Table）を検索することによって、低ノイズ増幅器１に対する状態切り替え制御信号（すなわちＨ／Ｌ切り替え制御信号）を出力するための閾値である切替閾値Ｈ／Ｌ、第１、第２の前置増幅器４ａ，４ｂ、第１、第２の後置増幅器６ａ，６ｂに対する利得制御信号を出力するための利得設定値（RxGain）をそれぞれ読み出して、制御信号として、デジタルベースバンド処理部１１、デジタル信号インタフェース回路１０を介して、レジスタ２にあらかじめ設定する。
【００３８】
低ノイズ増幅器１の状態（Ｓｔａｔｅ）を設定する低ノイズ増幅器１に対するＨ／Ｌ切り替え制御信号を出力するための閾値である切替閾値Ｈ／Ｌには、低ノイズ増幅器１の状態（Ｓｔａｔｅ）をＨｉｇｈ  Ｇａｉｎ(高利得)の状態に切り替える第１の切替閾値ＬとＬｏｗ  Ｇａｉｎ（低利得）の状態に切り替える第２の切替閾値Ｈとが含まれている。中央処理装置１２は、レジスタ２に設定した第１の切替閾値Ｌおよび第２の切替閾値Ｈと、受信した受信信号（ＧＰＲＳ  ＣＳ４）の信号レベルであるＲＳＳＩ（Received  Signal  Strength  Indicator）の値との比較結果に応じて、低ノイズ増幅器１の状態（Ｓｔａｔｅ）を、Ｈｉｇｈ  Ｇａｉｎ(高利得)の状態とＬｏｗ  Ｇａｉｎ（低利得）の状態（Ｓｔａｔｅ）とに切り替えるＨ／Ｌ切り替え制御信号を、レジスタ２から低ノイズ増幅器１に対して出力する。
【００３９】
なお、前述したように、ＧＳＭ規格である３ＧＰＰ規格には、次の２つの規格がある。
（１）ＧＳＭ  受信信号（ＧＰＲＳ  ＣＳ４）の感度規格：−９９ｄＢｍ
（２）ＧＳＭ  歪規格（Ｂｌｏｃｋｉｎｇ規格）        ：−９８ｄＢｍ
【００４０】
一般的に、低ノイズ増幅器１において、受信信号（ＧＰＲＳ  ＣＳ４）の利得（ゲイン：Ｇａｉｎ）が高くなるＬＮＡ  Ｈｉｇｈの状態（Ｓｔａｔｅ）すなわちＨｉｇｈ  Ｇａｉｎ（高利得）の状態に設定した場合、ＮＦ（Noise  Figure：雑音指数）特性を良好にすることができ、一方、受信信号（ＧＰＲＳ  ＣＳ４）の利得（ゲイン：Ｇａｉｎ）が低くなるＬＮＡ  Ｌｏｗの状態（Ｓｔａｔｅ）すなわちＬｏｗ  Ｇａｉｎ（低利得）の状態に設定した場合、歪特性を向上させることができる。このため、３ＧＰＰ規格における（１）の感度規格を満たすためには、ＬＮＡ  Ｈｉｇｈの状態（Ｓｔａｔｅ）に設定し、３ＧＰＰ規格における（２）の歪規格を満たすためには、ＬＮＡ  Ｌｏｗの状態（Ｓｔａｔｅ）に設定することが望ましい。
【００４１】
しかしながら、（１）の受信感度規格と（２）歪規格との２つの規格は、前述のように、受信信号の電力閾値レベルが非常に近い値であるため、低ノイズ増幅器１の状態（Ｓｔａｔｅ）を２つの規格の電力閾値間で切り替えることは実効上困難である。したがって、背景技術において説明したように、従来の技術においては、低ノイズ増幅器１の状態（Ｓｔａｔｅ）を切り替えることなく、低ノイズ増幅器１を同じ状態（Ｓｔａｔｅ）に固定して、（１）と（２）との２つの規格を同時に満たすような設計がなされていた。
【００４２】
この結果、
（ａ）低ノイズ増幅器１をＬＮＡ  Ｌｏｗの状態（Ｓｔａｔｅ）すなわちＬｏｗ  Ｇａｉｎ（低利得）の状態に固定した場合には、ＮＦ（（Noise  Figure：雑音指数）特性の改善が必要となる。
（ｂ）低ノイズ増幅器１をＬＮＡ  Ｈｉｇｈの状態（Ｓｔａｔｅ）すなわちＨｉｇｈ  Ｇａｉｎ（高利得）の状態に固定した場合には、歪特性の改善が必要になる。
かかる改善を図るために、従来の技術においては、前述したように、低ノイズ増幅器１の回路構成を種々工夫し、低ノイズ増幅器１の消費電流を多く必要としたり、あるいは、回路規模が増大してしまったりするというような結果を招いていた。
【００４３】
本発明においては、以下に説明するような技術を採用することによって、低ノイズ増幅器１の状態（Ｓｔａｔｅ）を、受信した受信信号がＧＳＭ通信モードであるか、または、ＧＰＲＳ  ＣＳ（Channel  Coding  Scheme）通信モードであるかの通信モードの種類、および、該受信信号の信号レベルの如何に応じて、切り替えることにしている。ここで、以下の説明においては、ＧＰＲＳ  ＣＳ通信モードの場合、受信信号がＧＰＲＳ  ＣＳ４の場合について説明するが、ＣＳが'４'である場合に限るものではなく、'１'〜'４'の任意の組み合わせで、低ノイズ増幅器１の状態（Ｓｔａｔｅ）の切り替え条件を設定することが可能であり、かかる切り替え条件の設定は、不揮発性メモリ（ＮＶＭ：Non  Volatile  Memory）であるメモリ１３の受信信号利得設定テーブル（RxGain  Table）を任意に書き替えることによって実施することができる。
【００４４】
図１に示すＧＳＭ無線端末装置の受信部において、感度規格が厳しいＧＰＲＳ  ＣＳ４の受信信号が受信された場合、デジタルベースバンド処理部１１にて、受信した受信信号がＧＰＲＳ  ＣＳ４信号の通信モードであることが認識される。また、該受信信号（ＧＰＲＳ  ＣＳ４）の受信信号レベルも、デジタルベースバンド処理部１１にてＲＳＳＩ信号として認識することができる。
【００４５】
ここで、無線周波数集積回路１０Ａ内のレジスタ２には、中央処理装置１２からの制御によって、低ノイズ増幅器１に対するＨ／Ｌ切り替え制御信号を出力するための切替閾値Ｈ／Ｌ（すなわち、Ｈｉｇｈ  Ｇａｉｎの状態に切り替えるための第１の切替閾値Ｌ、および、Ｌｏｗ  Ｇａｉｎの状態に切り替えるための第２の切替閾値Ｈ）が、初期状態として、あらかじめ設定されており、また、低ノイズ増幅器１の状態（Ｓｔａｔｅ）は、Ｈ／Ｌ切り替え制御信号により、通常のＬｏｗ  Ｇａｉｎ（低利得）の状態に設定されている。初期状態の切替閾値Ｈ／Ｌは、受信信号の信号レベルであるＲＳＳＩの値如何によって低ノイズ増幅器１の状態（Ｓｔａｔｅ）を切り替えるためのＲＳＳＩ切替閾値であり、前述したように、メモリ１３の受信信号利得設定テーブル（RxGain  Table）内の切替閾値設定テーブルに利得設定値（RxGain）としてあらかじめ設定登録されており、初期設定時に、中央処理装置１２によって読み出されて、制御信号として、デジタルベースバンド処理部１１、デジタル信号インタフェース回路１０を介して、レジスタ２に設定される。
【００４６】
メモリ１３の受信信号利得設定テーブル（RxGain  Table）内の切替閾値設定テーブルにあらかじめ設定登録される初期状態の切替閾値Ｈ／Ｌは、任意の時点で、任意の値に随時書き替えることが可能であり、書き替えられた切替閾値Ｈ／Ｌは、中央処理装置１２の制御によって、無線周波数集積回路１０Ａ内のレジスタ２に直ちに設定される。
【００４７】
また、Ｈ／Ｌ切り替え制御信号は、受信した受信信号（ＧＰＲＳ  ＣＳ４）の通信モード、および、信号レベルであるＲＳＳＩ（Received  Signal  Strength  Indicator）の値と、無線周波数集積回路１０Ａ内のレジスタ２に設定されている切替閾値Ｈ／Ｌとの比較結果に基づいて、中央処理装置１２の制御により、Ｈ／Ｌ切り替え制御信号が低ノイズ増幅器１に対して随時出力される。
【００４８】
デジタルベースバンド処理部１１から受信信号の通信モード、信号レベルの認識結果を受け取った中央処理装置１２においては、受信信号がＧＰＲＳ  ＣＳ４の通信モードであり、かつ、受信信号レベルが、レジスタ２に設定した、Ｈｉｇｈ  Ｇａｉｎの状態に切り替えるための第１の切替閾値Ｌよりも小さい信号レベルであった場合には、低ノイズ増幅器１の状態（Ｓｔａｔｅ）をＨｉｇｈ  Ｇａｉｎ(高利得)の状態に切り替えるＨ／Ｌ切り替え制御信号を、レジスタ２に設定して、低ノイズ増幅器１の状態（Ｓｔａｔｅ）を、Ｈｉｇｈ  Ｇａｉｎ(高利得)の状態に設定する。
【００４９】
一方、受信信号がＧＰＲＳ  ＣＳ４であり、かつ、受信信号レベルが、レジスタ２に設定した、Ｌｏｗ  Ｇａｉｎの状態に切り替えるための第２の切替閾値Ｈよりも大きい信号レベルであった場合には、低ノイズ増幅器１の状態（Ｓｔａｔｅ）をＬｏｗ  Ｇａｉｎ(低利得)の状態に切り替えるＨ／Ｌ切り替え制御信号を、レジスタ２に設定して、低ノイズ増幅器１の状態（Ｓｔａｔｅ）を、Ｌｏｗ  Ｇａｉｎ(低利得)の状態に設定する。
【００５０】
また、デジタルベースバンド処理部１１から受信信号の信号モード、信号レベルの認識結果を受け取った中央処理装置１２においては、受信信号がＧＰＲＳ  ＣＳ４以外の信号つまりＧＰＲＳ  ＣＳ通信モード以外の信号であった場合、低ノイズ増幅器１の通常の状態（Ｓｔａｔｅ）として、低ノイズ増幅器１をＬｏｗ  Ｇａｉｎ（低利得）の状態に設定する。また、低ノイズ増幅器１がＨｉｇｈ  Ｇａｉｎ(高利得)の状態に設定されていた場合に、受信信号の信号レベルであるＲＳＳＩの値が、第２の切替閾値Ｈよりも大きい信号レベルになった場合には、低ノイズ増幅器１の通常の状態（Ｓｔａｔｅ）として、低ノイズ増幅器１をＬｏｗ  Ｇａｉｎ（低利得）の設定状態に復帰させる。
【００５１】
なお、低ノイズ増幅器１の状態（Ｓｔａｔｅ）の状態を切り替えるＨ／Ｌ切り替え制御信号の出力タイミングは、受信信号を受信していないスロットにおいて出力されるものであって、受信信号を受信中のタミングにおいては、切り替え動作は実施されないことは言うまでもない。ここで、ＧＳＭ通信方式は、連続信号を扱う通信方式ではなく、ＴＤＭＡ（Time  Division  Multiple  Access）方式で実現されているので、Ｈ／Ｌ切り替え制御信号の出力タイミングとして、受信信号を受信していないタイミングで出力することが可能である。
【００５２】
次に、図１に示したＧＳＭ無線端末装置の受信部の動作について、図２に示すフローチャートを用いてさらに詳細に説明する。図２は、本発明によるＧＳＭ無線端末装置の受信部の動作の一例を説明するためのフローチャートであり、ＧＳＭ無線端末装置の電源が投入されて、無線周波数集積回路１０Ａの受信ブロックの各部に電源が供給されると、起動され、以降、電源の供給が停止されるまで、連続的に動作し続ける。なお、図２のフローチャートは、本発明のＧＳＭ無線端末状態切り替え制御方法の一例として、ＧＳＭ無線端末装置が受信する受信信号の通信モードおよびその受信信号レベルであるＲＳＳＩの値によって、低ノイズ増幅器１の状態（Ｓｔａｔｅ）を所望の状態に設定する動作に着目して示している。
【００５３】
図２のフローチャートが起動されると、中央処理装置１２は、初期設定として、メモリ１３の受信信号利得設定テーブル（RxGain  Table）内の切替閾値設定テーブルに設定されているＲＳＳＩ切替閾値Ｈ／Ｌ（すなわち、低ノイズ増幅器１をＨｉｇｈ  Ｇａｉｎの状態に切り替えるための第１の切替閾値Ｌ、および、Ｌｏｗ  Ｇａｉｎの状態に切り替えるための第２の切替閾値Ｈ）、および、ＧＰＲＳ  ＣＳ通信モードの種類を示すＣＳ値ｘ（ｘ：'１'〜'４'範囲内の任意の整数）を読み込んで、制御信号として、デジタルベースバンド処理部１１、デジタル信号インタフェース回路１０を介して、無線周波数集積回路１０Ａのレジスタ２に設定する（ステップＳ１）。
【００５４】
しかる後、中央処理装置１２は、通常受信状態の設定用としてメモリ１３の受信信号利得設定テーブル（RxGain  Table）に設定されている低ノイズ増幅器１の状態（Ｓｔａｔｅ）の通常設定値、第１、第２の前置増幅器４ａ，４ｂ、第１、第２の後置増幅器６ａ，６ｂに対する利得制御信号を出力するための利得設定値（RxGain）を通常の受信利得値として読み出して、制御信号として、デジタルベースバンド処理部１１、デジタル信号インタフェース回路１０を介して、無線周波数集積回路１０Ａのレジスタ２に設定する（ステップＳ２）。
【００５５】
この結果、受信信号をまだ受信していない初期状態においては、低ノイズ増幅器１に対して、通常状態であるＬｏｗ  Ｇａｉｎ(低利得)の状態に設定するＨ／Ｌ切り替え制御信号が出力されて、低ノイズ増幅器１は、Ｌｏｗ  Ｇａｉｎ（低利得）の状態に設定され、また、第１、第２の前置増幅器４ａ，４ｂ、第１、第２の後置増幅器６ａ，６ｂは、通常の受信利得値で増幅または減衰する利得（Ｇａｉｎ）状態に設定される。
【００５６】
その後、受信信号が受信されると、中央処理装置１２は、デジタルベースバンド処理部１１から受け取った受信信号の通信モードをまず解析して、通信モードがＧＰＲＳ  ＣＳｘ通信モードであるか否かを確認する（ステップＳ３）。通信モードがＧＰＲＳ  ＣＳｘ通信モードではなかった場合には（ステップＳ３のＮＯ）、低ノイズ増幅器１の状態に関する制御は何もしないで、通常の設定状態のままにして、ステップＳ２に復帰して、受信信号利得設定テーブル（RxGain  Table）に設定されている第１、第２の前置増幅器４ａ，４ｂ、第１、第２の後置増幅器６ａ，６ｂの通常の受信利得値で増幅または減衰する利得（Ｇａｉｎ）状態に設定する動作を継続する。
【００５７】
一方、通信モードがＧＰＲＳ  ＣＳｘ通信モードであると認識された場合には（ステップＳ３のＹＥＳ）、レジスタ２に設定した切替閾値Ｈ／Ｌのうち、Ｈｉｇｈ  Ｇａｉｎの状態に切り替えるための第１の切替閾値Ｌと、受信信号の信号レベルであるＲＳＳＩ値とを比較する（ステップＳ４）。受信信号のＲＳＳＩ値が、第１の切替閾値Ｌよりも小さくなかった場合は（ステップＳ４のＮＯ）、低ノイズ増幅器１の状態に関する制御は何もしないで、通常の設定状態のままにして、ステップＳ２に復帰して、受信信号利得設定テーブル（RxGain  Table）に設定されている第１、第２の前置増幅器４ａ，４ｂ、第１、第２の後置増幅器６ａ，６ｂの通常の受信利得値で増幅または減衰する利得（Ｇａｉｎ）状態に設定する動作を継続する。
【００５８】
これに対して、受信信号のＲＳＳＩ値が、第１の切替閾値Ｌよりも小さい場合には（ステップＳ４のＹＥＳ）、低ノイズ増幅器１の状態（Ｓｔａｔｅ）をＨｉｇｈ  Ｇａｉｎ(高利得)の状態に切り替えるＨ／Ｌ切り替え制御信号を、レジスタ２に設定して、低ノイズ増幅器１の状態（Ｓｔａｔｅ）を、ＬＮＡ  Ｈｉｇｈの状態すなわちＨｉｇｈ  Ｇａｉｎ(高利得)の状態に設定する（ステップＳ５）。なお、それ以外の第１、第２の前置増幅器４ａ，４ｂ、第１、第２の後置増幅器６ａ，６ｂ等の回路部については、受信信号利得設定テーブル（RxGain  Table）に設定されている通常の状態に設定されたままである。
【００５９】
しかる後、低ノイズ増幅器１がＨｉｇｈ  Ｇａｉｎ(高利得)の状態に切り替えられたことに伴い、受信信号の信号レベルであるＲＳＳＩ値が上昇することになるので、レジスタ２に設定した切替閾値Ｈ／Ｌを、該上昇分に応じたＲＳＳＩ補正値によって補正する（ステップＳ６）。なお、このＲＳＳＩ補正値は、ＧＳＭ無線端末装置の個別調整をあらかじめ行った結果に基づいて、メモリ１３の信号レベル補正値設定テーブルにあらかじめ登録されている。
【００６０】
次いで、受信信号の通信モードがＧＰＲＳ  ＣＳｘ通信モードになっているか否かを再度確認する（ステップＳ７）。通信モードがＧＰＲＳ  ＣＳｘ通信モードではなかった場合には（ステップＳ７のＮＯ）、ステップＳ２に復帰して、低ノイズ増幅器１の状態を通常の設定状態に戻すとともに、それ以外の第１、第２の前置増幅器４ａ，４ｂ、第１、第２の後置増幅器６ａ，６ｂ等の回路部についても、受信信号利得設定テーブル（RxGain  Table）に設定されている通常の状態に設定する。
【００６１】
一方、通信モードがＧＰＲＳ  ＣＳｘ通信モードになっていると認識された場合には（ステップＳ７のＹＥＳ）、レジスタ２に設定した切替閾値Ｈ／Ｌのうち、Ｌｏｗ  Ｇａｉｎの状態に切り替えるための第２の切替閾値Ｈと、受信信号の信号レベルであるＲＳＳＩ値とを比較する（ステップＳ８）。受信信号のＲＳＳＩ値が、第２の切替閾値Ｈよりも大きくなかった場合は（ステップＳ８のＮＯ）、低ノイズ増幅器１の状態をＨｉｇｈ  Ｇａｉｎ(高利得)の状態のまま維持して、ステップＳ７に復帰して、受信信号の通信モードがＧＰＲＳ  ＣＳｘ通信モードから別の通信モードに変わるまで、同じ動作を繰り返す。
【００６２】
これに対して、受信信号のＲＳＳＩ値が、第２の切替閾値Ｈよりも大きくなった場合には（ステップＳ８のＹＥＳ）、ステップＳ２に復帰して、低ノイズ増幅器１の状態（Ｓｔａｔｅ）をＬｏｗ  Ｇａｉｎ(低利得)の状態に切り替えるＨ／Ｌ切り替え制御信号を、レジスタ２に設定して、低ノイズ増幅器１の状態（Ｓｔａｔｅ）を、ＬＮＡ  Ｌｏｗの状態すなわち通常の状態に戻すとともに、それ以外の第１、第２の前置増幅器４ａ，４ｂ、第１、第２の後置増幅器６ａ，６ｂ等の回路部についても、受信信号利得設定テーブル（RxGain  Table）に設定されている通常の状態に設定する。
【００６３】
ここで、低ノイズ増幅器１に対するＨ／Ｌ切り替え制御信号を出力するための２つの切替閾値Ｈ／Ｌ（すなわち、Ｈｉｇｈ  Ｇａｉｎの状態に切り替えるための第１の切替閾値Ｌ、および、Ｌｏｗ  Ｇａｉｎの状態に切り替えるための第２の切替閾値Ｈ）は異なる値に設定されており、両者の切替閾値Ｈ／Ｌ間の差分が、ヒステリシス特性を付与するように設定されている。而して、受信信号の信号レベルであるＲＳＳＩ値の微小な変動によって、低ノイズ増幅器１の状態（Ｓｔａｔｅ）が、Ｈｉｇｈ  Ｇａｉｎの状態とＬｏｗ  Ｇａｉｎの状態との間で頻繁に切り替えられるばたつき現象を抑えることを可能にしている。
【００６４】
以上に説明したような動作を行うことによって、２つの切替閾値Ｈ／Ｌそれぞれを、３ＧＰＰ規格として前述した（１）受信感度規格の−９９ｄＢｍより小さい任意の適当な値に設定するようにすれば、低ノイズ増幅器１をＨｉｇｈ  Ｇａｉｎの状態に設定して、３ＧＰＰ規格として前述した（１）受信感度規格の−９９ｄＢｍを満たすようにすることができ、一方、低ノイズ増幅器１をＬｏｗ  Ｇａｉｎの状態に設定して、３ＧＰＰ規格として前述した（２）歪規格の−９８ｄＢｍを満たすようにすることもできる。
【００６５】
次に、図２のフローチャートに前述したＧＳＭ無線端末装置の受信部の動作とは異なる動作について、図３のフローチャートを用いて説明する。図３は、本発明によるＧＳＭ無線端末装置の受信部の動作の他の例を説明するためのフローチャートであり、図２の場合とは異なり、不揮発性メモリ（ＮＶＭ：Non  Volatile  Memory）であるメモリ１３に設定する受信信号利得設定テーブル（RxGain  Table）として、ＧＳＭ通信モードとしての通常の受信状態において用いる通常受信信号利得設定テーブルと、ＧＰＲＳ  ＣＳｘ通信モードに対応するＧＰＲＳ用受信信号利得設定テーブルとを、別々に備えている場合について示している。つまり、図３のフローチャートにおいては、通信モードごとにそれぞれに該当する受信信号利得設定テーブルを備えており、受信信号の通信モードに応じて該当する受信信号利得設定テーブルに切り替えて、低ノイズ増幅器１や第１、第２の前置増幅器４ａ，４ｂ、第１、第２の後置増幅器６ａ，６ｂ等の回路部の設定を行う。
【００６６】
ＧＳＭ無線端末装置の電源が投入されて、無線周波数集積回路１０Ａの受信ブロックの各部に電源が供給されると、図３のフローチャートが起動され、図２のステップＳ１の場合と同様、中央処理装置１２は、初期設定として、メモリ１３の受信信号利得設定テーブル（RxGain  Table）内の切替閾値設定テーブルに設定されているＲＳＳＩ切替閾値Ｈ／Ｌ（すなわち、低ノイズ増幅器１をＨｉｇｈ  Ｇａｉｎの状態に切り替えるための第１の切替閾値Ｌ、および、Ｌｏｗ  Ｇａｉｎの状態に切り替えるための第２の切替閾値Ｈ）、および、ＧＰＲＳ  ＣＳ通信モードの種類を示すＣＳ値ｘ（ｘ：'１'〜'４'範囲内の任意の整数）を読み込んで、制御信号として、デジタルベースバンド処理部１１、デジタル信号インタフェース回路１０を介して、無線周波数集積回路１０Ａのレジスタ２に設定する（ステップＳ１１）。
【００６７】
しかる後、中央処理装置１２は、図２のステップＳ２の場合と同様、通常受信状態の設定用としてメモリ１３の通常受信信号利得設定テーブル（RxGain  Table）に設定されている低ノイズ増幅器１の状態（Ｓｔａｔｅ）の通常設定値、第１、第２の前置増幅器４ａ，４ｂ、第１、第２の後置増幅器６ａ，６ｂに対する利得制御信号を出力するための利得設定値（RxGain）を通常の受信利得値として読み出して、制御信号として、デジタルベースバンド処理部１１、デジタル信号インタフェース回路１０を介して、無線周波数集積回路１０Ａのレジスタ２に設定する（ステップＳ１２）。
【００６８】
この結果、受信信号をまだ受信していない初期状態においては、低ノイズ増幅器１に対して、通常状態であるＬｏｗ  Ｇａｉｎ(低利得)の状態に設定するＨ／Ｌ切り替え制御信号が出力されて、低ノイズ増幅器１は、Ｌｏｗ  Ｇａｉｎ（低利得）の状態に設定され、また、第１、第２の前置増幅器４ａ，４ｂ、第１、第２の後置増幅器６ａ，６ｂは、通常の受信利得値で増幅または減衰する利得（Ｇａｉｎ）状態に設定される。
【００６９】
その後、受信信号が受信されると、中央処理装置１２は、図２のステップＳ３の場合と同様、デジタルベースバンド処理部１１から受け取った受信信号の通信モードを解析して、通信モードがＧＰＲＳ  ＣＳｘ通信モードであるか否かを確認する（ステップＳ１３）。通信モードがＧＰＲＳ  ＣＳｘ通信モードではなかった場合には（ステップＳ１３のＮＯ）、低ノイズ増幅器１の状態に関する制御は何もしないで、通常の設定状態のままにして、ステップＳ１２に復帰して、通常受信信号利得設定テーブル（RxGain  Table）に設定されている第１、第２の前置増幅器４ａ，４ｂ、第１、第２の後置増幅器６ａ，６ｂの通常の受信利得値で増幅または減衰する利得（Ｇａｉｎ）状態を設定する動作を継続する。
【００７０】
一方、通信モードがＧＰＲＳ  ＣＳｘ通信モードであると認識された場合には（ステップＳ１３のＹＥＳ）、図１のフローチャートとは異なり、通信モードＧＰＲＳ  ＣＳｘに該当するＧＰＲＳ用受信信号利得設定テーブル（RxGain  Table）をメモリ１３から読み込む。しかる後、ＧＰＲＳ用受信信号利得設定テーブル（RxGain  Table）に登録されている低ノイズ増幅器１の状態（Ｓｔａｔｅ）のＧＰＲＳ用設定値、第１、第２の前置増幅器４ａ，４ｂ、第１、第２の後置増幅器６ａ，６ｂに対する利得制御信号を出力するためのＧＰＲＳ用利得設定値（RxGain）を、制御信号として、デジタルベースバンド処理部１１、デジタル信号インタフェース回路１０を介して、無線周波数集積回路１０Ａのレジスタ２に送出することによって、通常の受信状態を通信モードＧＰＲＳ  ＣＳｘ用の受信状態に切り替えて、ステップＳ１３に復帰する（ステップＳ１４）。
【００７１】
なお、この通信モードＧＰＲＳ  ＣＳｘにおけるＧＰＲＳ用利得設定値（RxGain）は、ＧＳＭ無線端末装置の個別調整をあらかじめ行った結果に基づいて、メモリ１３のＧＰＲＳ用受信信号利得設定テーブル（RxGain  Table）にあらかじめ登録されている。
【００７２】
図３のフローチャートのような動作を行う場合、ＧＰＲＳ用受信信号利得設定テーブル（RxGain  Table）の登録内容は、３ＧＰＰ規格として前述した（１）受信感度規格の−９９ｄＢｍを、低ノイズ増幅器１がＨｉｇｈ  Ｇａｉｎの状態に設定された状態で満たすような値に設定されており、かつ、３ＧＰＰ規格として前述した（２）歪規格の−９８ｄＢｍを、通常受信信号利得設定テーブル（RxGain  Table）の登録内容によって低ノイズ増幅器１がＬｏｗ  Ｇａｉｎの状態に設定された状態で満たすように設定されている。したがって、３ＧＰＰ規格として前述した（１）受信感度規格の−９９ｄＢｍを低ノイズ増幅器１がＨｉｇｈ  Ｇａｉｎの状態にて満たし、３ＧＰＰ規格として前述した（２）歪規格の−９８ｄＢｍを低ノイズ増幅器１がＨｉｇｈ  Ｇａｉｎの状態にて満たすことができる。
【００７３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７４】
１        低ノイズ増幅器（ＬＮＡ）
２        レジスタ（Ｒｅｇｉｓｔｅｒ）
３ａ      第１のミキサ（Ｍｉｘｅｒ）
３ｂ      第２のミキサ（Ｍｉｘｅｒ）
４ａ      第１の前置増幅器（Ａｍｐ）
４ｂ      第２の前置増幅器（Ａｍｐ）
５ａ      第１のベースバンドフィルタ（ＢＢ  Ｆｉｌｔｅｒ）
５ｂ      第２のベースバンドフィルタ（ＢＢ  Ｆｉｌｔｅｒ）
６ａ      第１の後置増幅器（Ａｍｐ）
６ｂ      第２の後置増幅器（Ａｍｐ）
８        ＡＤ変換器（Ｒｘ  ＡＤＣ）
９        デジタルフィルタ（Ｄｉｇｉｔａｌ  Ｆｉｌｔｅｒ）
１０      デジタル信号インタフェース回路（ＤｉｇＲＦ  Ｉ／Ｆ）
１０Ａ    無線周波数集積回路（ＲＦＩＣ）
１１      デジタルベースバンド処理部（ＤＢＢ）
１２      中央処理装置（ＣＰＵ）
１３      メモリ（ＮＶＭ）
【図１】
2012095222.tif 000003
【図２】
2012095222.tif 000004
【図３】
2012095222.tif 000005